(57)【要約】【課題】支柱２の長さ調整による屋根の高さ変更に雨樋２４の長さを対応させることができるカーポートの雨樋２４構造を提供する。【解決手段】支柱２と支柱２に支持された屋根とから構成されたカーポートにおいて、上記支柱２を上部支柱２ｂと下部支柱２ａに２分割し、上部支柱２ｂを下部支柱２ａに対して上下方向に長さ調整可能に設けるとともに、上記支柱２に沿って設けられる雨樋２４を、例えば上部雨樋２４ｂと下部雨樋２４ａに２分割し、上部雨樋２４ｂを下部雨樋２４ａに対して上下方向に摺動自在に設けることにより、上下方向に長さ調整可能としたことを特徴とする。【選択図】図１
2012154061.tif 000002
【特許請求の範囲】
【請求項１】
支柱と支柱に支持された屋根とから構成されたカーポートにおいて、
上記支柱を上部支柱と下部支柱に２分割し、上部支柱を下部支柱に対して上下方向に長さ調整可能に設けるとともに、上記支柱に沿って設けられる雨樋を上下方向に長さ調整可能に設けたことを特徴とするカーポートの雨樋構造。
【請求項２】
上記雨樋を、上部雨樋と下部雨樋に２分割し、上部雨樋を下部雨樋に対して上下方向に摺動自在に設けたことを特徴とする、請求項１に記載のカーポートの雨樋構造。
【請求項３】
上記上部支柱と下部支柱とが、それぞれ上部雨樋と下部雨樋を兼ねていることを特徴とする、請求項１に記載のカーポートの雨樋構造。
【請求項４】
上記上部雨樋が上記上部支柱の内部に内蔵され、上記下部支柱が下部雨樋を兼ねたことを特徴とする、請求項３に記載のカーポートの雨樋構造。
【請求項５】
上記雨樋の少なくとも一部が蛇腹から構成されていることを特徴とする、請求項１に記載のカーポートの雨樋構造。
【発明の詳細な説明】
【技術分野】
【０００１】
本発明は、屋根の高さを上下方向に移動調整できるカーポートに付設された雨樋の構造に関する。
【背景技術】
【０００２】
一般に、カーポートは支柱とルーフとから構成されている。カーポートの高さは一定であるから、保有している自動車の全高に応じて、カーポートを選択しなければならない。例えば、家族が増えるに従って普通乗用車からワゴン車タイプの全高の高い車種に買い代えたいという場合は、カーポートも既設のカーポートを壊して屋根の高いカーポートに代える必要がある。
【０００３】
このような不都合を解消するため、屋根を支持する支柱の高さを調整する機構を設けたものが提案されている（特許文献１参照）。これは支柱を下部支柱と上部支柱に分割し、上部支柱が下部支柱の長手方向に沿って上下にスライド可能とし、所望の位置でボルトと調整金具で固定できるようにしたものである。
【先行技術文献】
【特許文献】
【０００４】
【特許文献１】実開昭６３−１３４０２５号公報
【発明の概要】
【発明が解決しようとする課題】
【０００５】
ところで、カーポートには雨樋が付設されている。雨樋は、屋根に降り注いだ雨水を地上にガイドするものであるから、カーポートの支柱に沿って設けられている。したがって、支柱が上下に長さ調整可能にするのであれば、雨樋もこれに対応しなければならない。しかし、従来のカーポートでは、雨水をどのように処理するかについて具体的な技術は提案実施されていないのが現状である。
【０００６】
本発明は上記問題点を解消し、支柱の長さ調整に雨樋の長さを対応させることができるカーポートの雨樋構造を提供することをその課題とする。
【課題を解決するための手段】
【０００７】
上記課題を解決するため、請求項１に係る発明は、支柱と支柱に支持された屋根とから構成されたカーポートにおいて、上記支柱を上部支柱と下部支柱に２分割し、上部支柱を下部支柱に対して上下方向に長さ調整可能に設けるとともに、上記支柱に沿って設けられる雨樋を上下方向に長さ調整可能に設けたことを特徴とする。
【０００８】
請求項２に係る発明は、請求項１において、上記雨樋を、上部雨樋と下部雨樋に２分割し、上部雨樋を下部雨樋に対して上下方向に移動摺動自在に設けたことを特徴とする。
【０００９】
請求項３に係る発明は、請求項１において、上記上部支柱と下部支柱とが、それぞれ上部雨樋と下部雨樋を兼ねていることを特徴とする。
【００１０】
請求項４に係る発明は、請求項３において、上記上部雨樋が上記上部支柱の内部に内蔵され、上記下部支柱が下部雨樋を兼ねたことを特徴とする。
【００１１】
請求項５に係る発明は、請求項１において、上記雨樋の少なくとも一部が蛇腹から構成されていることを特徴とする。
【発明の効果】
【００１２】
請求項１に係る発明によれば、屋根の高さを調整するときは、下部柱に対する上部柱の高さを所定の位置まで上昇又は下降させ、下部支柱に対して上部支柱を屋根高さが調整された位置で固定すればよい。雨樋は支柱に沿って設けられ、上下方向に長さ調整可能に設けられているので、支柱の長さ調整に雨樋の長さを対応させることができる。
【００１３】
請求項２に係る発明によれば、雨樋を、上部雨樋と下部雨樋に２分割し、上部雨樋を下部雨樋に対して上下方向に摺動自在に設けたので、支柱の長さ調整による屋根の高さに雨樋の長さを自動的に対応させることができるとともに、屋根の高さを変えるときに雨樋の長さも、上部雨樋と下部雨樋も摺動によって調整されるから、樋を特別に作る必要がなく、施工が容易である。
【００１４】
請求項３に係る発明によれば、上部支柱と下部支柱とが、それぞれ上部雨樋と下部雨樋を兼ねているから、特別の作業をしなくても雨樋を支柱の長さの変化に対応させることができる。また、雨樋を特別に作る必要がないので、施工が容易である。また、雨樋が支柱の外側に露出しないので、外観がすっきりする。
【００１５】
請求項４に係る発明によれば、上部雨樋が上部支柱の内部に内蔵され、上記下部支柱が下部雨樋を兼ねているから、この場合も特別の作業をしなくても雨樋を支柱の長さの変化による屋根の高さに対応させることができる。また、上部雨樋の下方から下部支柱内部に雨水が垂れ落ちるのは確実なので、上部雨樋を上部支柱の長さよりも短くしてもかまわない。また、上部支柱の内面に直接に雨水は接触しないので、上部支柱は汚れにくいという効果がある。
【００１６】
請求項５に係る発明によれば、雨樋の少なくとも一部が蛇腹から構成されているから、蛇腹の上部と下部をそれぞれ上部支柱と下部支柱とに固定することにより、雨樋を自動的による屋根の高さ調整に対応させることができ、屋根の高さを変えるときに雨樋に特別の作業を施す必要がないので、施工が容易である。
【図面の簡単な説明】
【００１７】
【図１】本発明のカーポートの背面図
【図２】図１の一部を断面で示した側面図
【図３】図２の一部の拡大図
【図４】図３のＸ−Ｘ線上の拡大断面図
【図５】支柱の長さ調整状態を示す要部拡大図
【図６】図１の雨樋の要部の拡大図
【図７】雨樋構造の他の実施形態を示すカーポートの一部の背面図
【図８】図７の一部の拡大断面図
【図９】カーポートの別の実施形態の一部の側面図
【図１０】雨樋構造のさらに別の実施形態を示すカーポートの一部の正面図
【図１１】図１０の一部の拡大図
【図１２】後枠の樋部から直接に支柱内に雨水を案内する構造を示す拡大断面図
【発明を実施するための形態】
【００１８】
図１及び図２は本発明のカーポートを示すもので、このカーポートは屋根１と屋根１を支持する支柱２とから構成されている。
【００１９】
支柱２は駐車スペースの片側だけに間隔をおいて複数本設ける場合と両側にそれぞれ複数本設ける場合とがあり、図１及び図２のように片側に設ける場合は片流れとなり、両側に設ける場合は切妻となる。支柱２の上端には「く」の字形に屈曲した連結部材３の垂直部３ａが嵌合して固定され、他方の張り出し部３ｂには屋根１が支持されている。張り出し部３ｂには屋根材６を支持する梁４が固定されている。隣り合う梁４の上に母屋７、前枠８ａ及び後枠８ｂが固定され、これらの上に垂木５が固定され、垂木５の上に屋根材６が支持され、さらに屋根材６を屋根押え材９で押えて固定している。
【００２０】
支柱２は金属製で、それぞれ断面が長方形の中空の下部支柱２ａと上部支柱２ｂとに２分割されている。そして、上部支柱２ｂの断面は下部支柱２ａの断面よりも一回り小さく、上部支柱２ｂは下部支柱２ａに対して上下方向に摺動することによって長さ調整できるように設けられている。
【００２１】
次に、図３、図４に示されるように、上部支柱２ｂの長辺側の側面部とその反対側の側面部にはボルト固定金具１０が固定されている。ボルト固定金具１０はＬ字形に形成され、水平片１１にはその長手方向に沿うように配置された長尺の調整ボルト１２がダブルナットにより固定されている。調整ボルト１２はカバー１３（図４参照）で覆ってもよい。これに対し、下部支柱２ａには、上部支柱２ｂと同じ側面部に受け金具１４が固定されている。受け金具１４もＬ字形に形成され、その水平片１５上には調整ナット１６が回転可能に支持されている。調整ボルト１２は調整ナット１６に螺合し、水平片１５を貫通している。上部支柱２ｂの側面部には長手方向に沿って２条の凹溝１７が形成されている。この凹溝１７は下部支柱２ａの受け金具１４を固定する固定ビス１８と干渉しないようにする逃げ溝である。なお、固定金具１０と受け金具１４は同大、同形状の金具を兼用することができる。
【００２２】
さらに、上部支柱２ｂの側面部には、短辺側の側面部に一定の間隔をおいて固定ボルト２０と螺合するネジ穴２１が形成され、これに対し、下部支柱２ａの同側の側面部には固定ボルト２０が挿通可能なボルト挿通孔２２が形成されている。
【００２３】
上記構成において、屋根１の高さを調整するときは、調整ナット１６を回転させることにより、図５に示されるように、調整ボルト１２に沿って上下方向に調整移動させ、下部支柱２ａに対する上部支柱２ｂの高さを所定の位置まで上昇又は下降させて仮止めする。そして、固定ボルト２０を下部支柱２ａのボルト挿通孔２２から挿通して上部支柱２ｂのネジ穴２１に螺合させる。これにより、下部支柱２ａに対して上部支柱２ｂを屋根１高さが調整された位置で固定することができる。
【００２４】
したがって、上記構成のカーポートによれば、駐車する車種に応じて屋根１の高さを調整することができる。
【００２５】
なお、屋根高さの調整構造は上述の例に限定されない。支柱を上部支柱と下部支柱に２分割し、上部支柱を下部支柱に対して上下方向に長さ調整可能にする構成であれば他の構造であってもよい。
【００２６】
また、調整ナット１６は手回しで行ってもよいが、ハンドルで機械的に、あるいはモータで電気的に回転させるようにしてもよい。
【００２７】
次に、上記カーポートの屋根に降り注いだ雨は雨樋を通じて地上にガイドされるように構成されている。すなわち、図１及び図２に示されるように、後枠８ｂには樋部２２が設けられ、この樋部２２は屋根の下部に沿いドレン付きエルボ１９を介して設けられた中間雨樋２３を経て、さらに支柱２に沿って設けられた垂直の雨樋２４に接続している。
【００２８】
ところで、垂直の雨樋２４は、上述の支柱２の長さ調整による屋根の高さ変更に対応して上下方向に長さ調整可能に設けられている。
【００２９】
この長さの調整構造の一実施態様として、雨樋を、下部雨樋と上部雨樋とに２分割し、上部雨樋を下部雨樋に対して上下方向に長さ調整可能に設けるように構成することが考えられる。この場合、例えば図６に示されるように、上部雨樋２４ｂを下部雨樋２４ａの内部に摺動自在に嵌合し、上部雨樋２４ｂと下部雨樋２４ａとをそれぞれサドル２５を介して上部支柱２ｂと下部支柱２ａに固定すればよい。
【００３０】
これによって、支柱２の長さ調整による屋根の高さに雨樋２４の長さを自動的に対応させることができるとともに、屋根の高さを変えるときに雨樋２４の長さも、上部雨樋２４ｂと下部雨樋２４ａも摺動によって上下方向における調整がなされるから、樋を特別に作る必要がなく、施工が容易である。
【００３１】
なお、上下部雨樋２４ａは支柱２の外部に設けられる態様に限定されない。上下部雨樋２４ａが支柱２の内部にあってもよい。
【００３２】
また、図７に示されるように、上部支柱２と下部支柱２とが、それぞれ上部雨樋２４ｂと下部雨樋２４ａを兼ねる構成としてもよい。この場合は、中間雨樋２３の端部を上部支柱２ｂの側壁に形成した穴（図示せず）に嵌合させて上部支柱２ｂの内部に臨ませるようにしてもよい。図８に示されるように、下部支柱２ａの下部には、傾斜した水受け２６を固定しておく。下部支柱２ａには、水受け２６の下端に対応する位置に排水孔２７を形成する。
【００３３】
これにより、屋根の雨水は中間樋２３を通って雨樋兼用の上部支柱２ｂから下部支柱２ａに流れ落ち、水受け２６にガイドされて排水孔２７から外部に排水される。このように、雨樋２４を特別に作る必要がないので、施工が容易である。また、雨樋２４が支柱２の外側に露出しないので、外観がすっきりする。
【００３４】
さらに、支柱長さの調整構造の他の実施形態として、図９に示されるように、上部雨樋２４ｂを上部支柱２ｂの内部に内蔵させ、下部支柱２ａが下部雨樋２４ａを兼ねる構成としてもよい。この場合は、中間雨樋２３の端部が上部雨樋２４ｂに連結される。下部支柱２ａの下部には、図８と同様に、傾斜した水受け２６を固定し、水受け２６の下端に対応する位置には排水孔２７を形成する。
【００３５】
これにより、屋根の雨水は中間樋２３を通って上部支柱２ｂ内部の上部雨樋２４ｂから下部支柱２ａに流れ落ち、水受け２６にガイドされて排水孔２７から外部に排水される。この場合、上部雨樋２４ｂの下方から下部支柱２ａ内部に雨水が垂れ落ちるのは確実なので、上部雨樋２４ｂを上部支柱２ｂの長さよりも短くしてもかまわない。また、上部支柱２ｂの内面に直接に雨水は接触しないので、上部支柱２ｂは汚れにくいという効果がある。
【００３６】
なお、上部雨樋２４ｂは下部雨樋２４ａである下部支柱２ａと分離しているが、両者併せて雨樋２４であるから、全体として雨樋２４の長さが調整可能となっている。
【００３７】
さらにまた、支柱長さの調整構造の一実施態様として、図１０、図１１に示されるように、雨樋２４の少なくとも一部を蛇腹２８によって構成すればよい。雨樋２４の上端部と下端部はエルボ３０とともに取付金具３１によって支柱２に固定する。
【００３８】
上記構成によれば、支柱２の伸縮に雨樋２４が対応することができるから、屋根の高さを変えるときに雨樋２４に特別の作業を施す必要がないので、施工が容易である。
【００３９】
なお、雨樋２４の少なくとも一部が蛇腹によって構成されていればよく、上述の実施態様に示すように、雨樋２４の全てが蛇腹構造になっている必要はない。
【００４０】
また、上述の実施形態では、上部雨樋２４ｂは中間雨樋２３の端部に接続するものであるが、図１２に示されるように、後ろ枠８ｂの底部の支柱２上部に排水孔３１を加工形成するとともに、この排水孔３１を上部支柱２ｂ（または上部雨樋２４ｂ）に連通させることにより、後枠８ｂの樋部２２に流入した屋根の雨水を直接に上部支柱２ｂ又は上部雨樋２４ｂに落とすようにしてもよい。
【符号の説明】
【００４１】
１      屋根
２      支柱
２ａ    下部支柱
２ｂ    上部支柱
２３    中間雨樋
２４    雨樋
２４ａ  下部雨樋
２４ｂ  上部雨樋
２６    水受け
２７    排水孔
２８    蛇腹
【図１】
2012154061.tif 000003
【図２】
2012154061.tif 000004
【図３】
2012154061.tif 000005
【図４】
2012154061.tif 000006
【図５】
2012154061.tif 000007
【図６】
2012154061.tif 000008
【図７】
2012154061.tif 000009
【図８】
2012154061.tif 000010
【図９】
2012154061.tif 000011
【図１０】
2012154061.tif 000012
【図１１】
2012154061.tif 000013
【図１２】
2012154061.tif 000014